(57)【要約】【課題】床面が傾いている現場に設置された場合であっても、十分に特定防火設備の機能を果たすことができるシャッター装置を提供する。【解決手段】火災時に開閉機のブレーキを解放してシャッターカーテン２を自重降下させる自動閉鎖装置８を備えたシャッター装置において、床面に接触した座板スイッチ２ｂが作動してシャッターカーテン２が停止した開口部全閉状態において、火災信号が入力された場合あるいは自動閉鎖装置の手動解放操作が行われた場合に、所定時間だけ自動閉鎖装置８をブレーキ解放姿勢として前記開口部全閉状態からシャッターカーテン２をさらに所定量自重降下させる。【選択図】図７
2008031714.tif 000002
【特許請求の範囲】
【請求項１】
火災時に開閉機のブレーキを解放してシャッターカーテンを自重降下させる自動閉鎖装置を備えたシャッター装置において、
座板スイッチの入力により床面に接触したシャッターカーテンが停止した開口部全閉状態において、火災信号が入力された場合あるいは自動閉鎖装置の手動解放操作が行われた場合に、自動閉鎖装置をブレーキ解放姿勢として前記開口部全閉状態からさらにシャッターカーテンを少なくとも所定量自重降下させるように制御される、シャッター装置。
【請求項２】
火災時に開閉機のブレーキを解放してシャッターカーテンを自重降下させる自動閉鎖装置を備えたシャッター装置において、
前記シャッター装置は座板スイッチとシャッターカーテンが床面に接近したことを検知する下限リミットスイッチとを備えており、
前記下限リミットスイッチより上方で前記座板スイッチの入力があった場合には、自動閉鎖装置をブレーキ復帰姿勢として自重降下するシャッターカーテンを停止させ、
下限リミットスイッチ入力後には、前記座板スイッチの入力にかかわらず、シャッターカーテンが床面に接触した後もさらにシャッターカーテンを少なくとも所定量自重降下させるように自動閉鎖装置のブレーキ解放姿勢を継続させるように制御される、シャッター装置。
【請求項３】
自動閉鎖装置のブレーキ解放姿勢は、下限リミットスイッチの入力から所定時間だけ継続される、請求項２に記載のシャッター装置。
【請求項４】
自動閉鎖装置のブレーキ解放姿勢は、座板スイッチの入力から所定時間だけ継続される、請求項２に記載のシャッター装置。
【発明の詳細な説明】
【技術分野】
【０００１】
本発明は、自動閉鎖装置を備えたシャッター装置に関するものである。
【背景技術】
【０００２】
防火・防煙シャッターは、火災時に建物内に区画を形成して火災の延焼を防止するために設置される。防火・防煙シャッターは、全開状態ではブレーキによってシャッターカーテンの自重降下が規制されているが、火災時に火災信号が入力されると前記ブレーキが解放されて、シャッターカーテンが自重降下して全閉状態となって区画を形成する。防火・防煙シャッターには、自重降下中のシャッターカーテンに避難者が接触したような場合にシャッターカーテンの自重降下を停止させるために、いわゆる危害防止機構（避難時停止装置）が設けられる。防火・防煙シャッターの危害防止機構は、火災信号を受けるとブレーキを解放してシャッターカーテンを自重降下させるが、自重降下するシャッターカーテンが障害物（例えば避難者）に接触して座板スイッチが働くと、ブレーキが復帰してシャッターカーテンの自重降下が停止し、約１０秒後再降下して全閉するように構成されている。従来の危害防止機構は、例えば、特許文献１に記載されている。
【０００３】
上記のような座板スイッチを備えたシャッター装置では、シャッターカーテンの下端の座板が床面に接触することを当該座板スイッチが検知することで、シャッターカーテンの降下（電動降下・自重降下の両方の場合を含む）を停止させて開口部全閉状態としている。しかし、例えば、大開口のシャッターの場合等には、床面が一様でない（例えば傾斜している）ことがあり、その場合、シャッターカーテンが降下して開口部を全閉する時に、座板の一部が床面に先に接触することで座板スイッチが作動してしまい、その時点でブレーキが復帰してシャッターカーテンの降下が停止することで、開口部全閉時に隙間が生じた状態となってしまうことも有り得る（図１参照）。したがって、火災信号の入力に応じてシャッターカーテンを自重降下させて全閉状態とした場合であっても、床面が一様でなければ、シャッターカーテンと床面との間に隙間が生じたままとなってしまい、特定防火設備の役目を果たさなくなるおそれがあった。
【０００４】
また、防火・防煙シャッターが建物開口部を開閉する通常のシャッターを兼用するものもある。このものでは、通常の閉鎖時に、座板スイッチが床面に接触して作動してシャッターカーテンの電動降下が停止した状態である開口部全閉状態において、火災信号が入力されたとしても、座板スイッチの入力が継続されているため、自動閉鎖装置はブレーキ解放姿勢となることはない。その結果、床面が傾いているような場所に設置したシャッター装置において、開口部全閉状態に火災が生じた場合には、火災信号の入力があってもブレーキ復帰姿勢が維持されているため座板と床面との間に隙間が生じたままとなってしまい、特定防火設備の役目を果たさなくなるおそれがあった。
【特許文献１】特開２０００−３４８７６
【発明の開示】
【発明が解決しようとする課題】
【０００５】
本発明は、床面が傾いている現場に設置された場合であっても、十分に特定防火設備の機能を果たすことができるシャッター装置を提供することを目的とするものである。
【課題を解決するための手段】
【０００６】
本発明が採用した第１の技術手段は、火災時に開閉機のブレーキを解放してシャッターカーテンを自重降下させる自動閉鎖装置を備えたシャッター装置において、座板スイッチの入力により床面に接触したシャッターカーテンが停止した開口部全閉状態において、火災信号が入力された場合あるいは自動閉鎖装置の手動解放操作が行われた場合に、自動閉鎖装置をブレーキ解放姿勢として前記開口部全閉状態からさらにシャッターカーテンを少なくとも所定量自重降下させるように制御される、シャッター装置、である。
【０００７】
好ましい態様例では、前記シャッター装置は、シャッターカーテンの下端の座板が床面に接触していることを検知する座板スイッチと、降下するシャッターカーテンの下端が床面に接近したことを検知する下限リミットスイッチと、を備えており、シャッター装置の制御装置は、前記座板スイッチ及び下限リミットスイッチの両方がＯＮであることをもって開口部全閉状態であることを判定し、両スイッチがＯＮの時に火災信号の入力があった場合に、所定時間だけ自動閉鎖装置をブレーキ解放姿勢としてシャッターカーテンを所定量自重降下させる。制御装置は、所定時間経過後に、自動閉鎖装置をブレーキ復帰姿勢に復帰させる。このように本発明の第１の技術手段の好ましい態様では、「所定時間」だけ自動閉鎖装置のブレーキを解放姿勢としてシャッターカーテンを所定量自重降下させるものであるが、前記「所定時間」の設定は、一つの好ましい態様では、タイマによって行われる。また、他の態様では、通常の開口部全閉状態からさらに所定量オーバーランした時に作動する第２の下限リミットスイッチを設け、自動閉鎖装置がブレーキ解放姿勢となってから当該第２の下限リミットスイッチが作動するまでの時間を「所定時間」とする。尚、好ましい態様として、「所定時間（所定量）」だけ自動閉鎖装置のブレーキを解放姿勢とする態様について記載したが、自動閉鎖装置のブレーキ解放姿勢を継続させたままでもよい。
【０００８】
自動閉鎖装置を手動解放操作する場合には、手動閉鎖装置は、電気式手動閉鎖装置のみならず、機械式手動閉鎖装置でもよい。機械式手動閉鎖装置の場合には、手動解放操作をマイクロスイッチ等で検知して、その検知信号を制御装置に送信することで、所定時間だけシャッターカーテンを自重降下させる。
【０００９】
本発明が採用した第２の技術手段は、火災時に開閉機のブレーキを解放してシャッターカーテンを自重降下させる自動閉鎖装置を備えたシャッター装置において、前記シャッター装置は座板スイッチとシャッターカーテンが床面に接近したことを検知する下限リミットスイッチとを備えており、前記下限リミットスイッチより上方で前記座板スイッチの入力があった場合には、自動閉鎖装置をブレーキ復帰姿勢として自重降下するシャッターカーテンを停止させ、下限リミットスイッチ入力後には、前記座板スイッチの入力にかかわらず、シャッターカーテンが床面に接触した後もさらにシャッターカーテンを少なくとも所定量自重降下させるように自動閉鎖装置のブレーキ解放姿勢を継続させるように制御される、シャッター装置、である。
【００１０】
一つの好ましい態様では、自動閉鎖装置のブレーキ解放姿勢は、下限リミットスイッチの入力から所定時間だけ継続される。シャッターカーテンの下端の座板が床面に接触する前に下限リミット位置が設定されており、下限リミット信号が制御装置に入力されることで、タイマが動作開始する。タイマにより設定された前記所定時間は、下限リミット信号入力からシャッターカーテンの下端の座板が床面に接するまでの時間よりも長い時間に設定されており、座板スイッチの入力にもかかわらず、自動閉鎖装置がブレーキ復帰姿勢に復帰せずに、シャッターカーテンの自重降下を継続するように制御される。また、他の態様では、自動閉鎖装置のブレーキ解放姿勢は、座板スイッチの入力から所定時間だけ継続される。座板スイッチの入力があった場合にタイマが動作開始してシャッターカーテンを所定量自重降下させた後に自動閉鎖装置をブレーキ復帰姿勢とする。このように本発明の第２の技術手段の好ましい態様では、シャッターカーテンを所定量自重降下させるように自動閉鎖装置のブレーキ解放姿勢をタイマによって所定時間だけ継続させるものであるが、シャッターカーテンを所定量だけ自重降下させる手段は、タイマによるものに限定されない。例えば、通常の開口部全閉状態からさらに所定量オーバーランした時に作動する第２の下限リミットスイッチを設け、当該第２の下限リミットスイッチが作動することで自動閉鎖装置を解放姿勢から復帰姿勢としてもよい。尚、好ましい態様として、「所定時間（所定量）」だけ自動閉鎖装置のブレーキを解放姿勢とする態様について記載したが、自動閉鎖装置のブレーキ解放姿勢を継続させたままでもよい。
【００１１】
制御装置は、入力された信号が火災信号か通常の下降信号かによって制御モードを決定するようになっており、火災信号が入力された場合には、下限リミットスイッチがＯＮの場合に、座板スイッチがＯＮとなっても、シャッターカーテンの自重降下を停止させずにシャッターカーテンの自重降下を継続させるように制御される。これに対して、通常の下降信号が入力された場合には、シャッターカーテンが床面まで電動降下して座板スイッチがＯＮとなるとシャッターカーテンの降下が停止する。
【００１２】
前記自動閉鎖装置の解放は、火災信号が入力された場合あるいは自動閉鎖装置の手動解放操作により行われる。自動閉鎖装置を手動解放操作する場合には、手動閉鎖装置は、電気式手動閉鎖装置でも機械式手動閉鎖装置でもよい。また、第２の技術手段は、電動シャッター装置に限定されるものではなく、前記開閉機がモータを備えておらず、火災時にはブレーキ解放によりシャッターカーテンが自重降下し、必要な場合には手動でシャッターカーテンを巻き上げるような手動式開閉機を備えたシャッター装置にも適用され得る。
【発明の効果】
【００１３】
第１の技術手段、第２の技術手段は共に、火災時等に、通常の開口部全閉状態からさらにシャッターカーテンを自重降下させる（押し込む）ようになっているので、座板と床面と密着させて隙間を無くすることができ、床面が傾いている現場にシャッター装置を設置したような場合でも特定防火設備の機能を担保することができる。
【発明を実施するための最良の形態】
【００１４】
［Ａ］シャッター装置の全体構成
まず、シャッター装置の全体構成について説明する。図１乃至図３において、１は開口部に建付けられる電動シャッターであって、電動シャッター１は、開口部を開閉するシャッターカーテン２と、開口部両側に設けたガイドレール３，３と、を備え、シャッターカーテン２は、幅方向両端部をガイドレール３、３に案内された状態で上下昇降し、開口部を閉鎖する閉鎖姿勢と、開口部上方のシャッターケース４内の巻取シャフト（図示せず）に巻装されて開口部を開放する収納姿勢と、に変姿可能に構成されている。シャッターカーテン２は、複数枚のスラット２Ａを上下に回動自在に連設することで構成されており、シャッターカーテン２の最下端には座板２ａが設けてある。
【００１５】
天井裏４０には、図示しない巻取シャフトを回転させて、シャッターカーテン２を昇降させる開閉機５が配置されており、開閉機５には、シャッター制御盤５ａと、シャッターカーテン２の上限位置及び下限位置を検知するリミットスイッチ６と、煙感知器７の火災検知により出力される信号に基づいてシャッターカーテン２を自重降下させる自動閉鎖装置８が設けてある。リミットスイッチ６は、開閉機５の軸部の回転量を検出することでシャッターカーテン２の上限位置、下限位置を検出するようになっている。下限リミット位置は、シャッターカーテン２の下端の座板２ａが床面に接触する前位置に設定されている。下限リミット位置は、例えば、床面から２０ｍｍ〜３０ｍｍ程度の上方に設定される。降下するシャッターカーテン２の下端の座板２ａが下限リミット位置まで降下すると下限リミット信号がリミットスイッチ６から制御装置１２へ入力される。
【００１６】
ガイドレール３、３の側方に位置する壁９、９には防災盤１０と手動操作部１１が配設されている。開閉機５（シャッター制御盤５ａ）、リミットスイッチ６、煙感知器７、自動閉鎖装置８、防災盤１０および手動操作部１１は、同じく天井裏４０に配設された制御装置(危害防止用連動中継器)１２にコネクタケーブルを介してそれぞれ接続されており、制御装置１２は、シャッター装置の各種開閉制御を司る。
【００１７】
制御装置１２は、手動操作部１１からの操作によってシャッター制御盤５ａを介して開閉機５を制御して、シャッターカーテン２の昇降及び停止を行う。さらに、制御装置１２は、火災時には、煙検知器７、防災盤１０からの信号に基づいて、自動閉鎖装置８を介して、開閉機５のブレーキを解放し、シャッターカーテン２を自重降下させて火災の延焼を防止し、シャッターカーテン２の自重降下中に障害物を検知した場合には、次に述べるように、有線式の障害物検知によって、シャッターカーテン２の自重降下を停止させる。
【００１８】
シャッターカーテン２の最下端に設けた座板２ａは、座板スイッチ２ｂを有しており、電動降下作動中のシャッターカーテン２の下方に障害物が存在する場合に、これを座板２ａが障害物に当接した時の座板スイッチ２ｂの入力で検出し、検知信号を信号線Ａによって制御装置１２に送信し、シャッター制御盤を介して、シャッターカーテン２の電動降下を停止する。同様に、電動降下作動中のシャッターカーテン２の最下端の座板２ａが床面に接触すると、これを座板２ａに備えられた座板スイッチ２ｂで検出し、検知信号を信号線Ａによって制御装置１２に送信し、シャッター制御盤を介して、シャッターカーテン２の電動降下を停止して、開口部全閉状態となる。また、シャッターカーテン２が自重降下中にシャッターカーテン２の下方に障害物が存在する場合には、検知信号に基づいて解放状態のブレーキが復帰するように構成されている。障害物が取り除かれた後は、シャッターカーテン２は再び自重降下を開始する。なお、座板スイッチ２ｂに接続される信号線Ａは、開口部上端に位置して取り付けられたコードリール１３内に巻き取り方向への付勢力を保持して巻装されており、シャッターカーテン２の昇降駆動に伴って、信号線Ａがコードリール１３に巻き取られ、あるいは、繰り出されるようになっている。
座板スイッチ２ｂの具体的な構成としては、座板を上座板と下座板から構成して、上座板に対して下座板が上動することで上座板と下座板との間に設けたスイッチが入力されるもの、座板の下面にテープスイッチを設けたもの、座板を上座板と下座板から構成して、上座板に対して下座板が上動することで座板の端部に設けたリンク機構によってガイドレール内のテープスイッチが入力されるもの、等が例示される。
【００１９】
制御装置１２には、通常時の商用電源とは別に停電時の制御動作を確保するためにバッテリ電源１４が内蔵されており、火災時に、停電で商用電源が遮断されるような緊急状態であっても、バッテリ電源１４によって、火災検知信号に基づいて、自動閉鎖装置８を介して、シャッターカーテン２の自重降下を行えるようになっている。
【００２０】
自動閉鎖装置８について説明する。シャッター装置の開閉制御において、防災盤１０からの火災信号を制御装置（危害防止用連動中継器）１２が受信すると、制御装置１２が自動閉鎖モード（自重降下モード）となって、制御装置１２からの通電によって自動閉鎖装置８が作動して解放状態となり、開閉機５のブレーキ部を解放させてシャッター２が自重降下して防火区域を区画する。ブレーキ開放後には、直ちにモータへの通電が遮断される。本明細書で開示する自動閉鎖装置８は、自動閉鎖装置８のモータへの通電が遮断された後も、電気がかからない非通電状態で、開閉機５のブレーキ解放状態が保持される点に特徴を有する。そして、自重降下するシャッターカーテン２の下端の座板２に障害物が当接した時には、座板スイッチ２ｂから検知信号が制御装置１２に送信され、検知信号を受信した制御装置１２からの指令で、開閉機５のブレーキが復帰する。
【００２１】
座板スイッチ２ｂから検知信号が制御装置（危害防止用連動中継器）１２に送信されると、検知信号を受信した制御装置１２から自動閉鎖装置８に所定時間、例えば、０．５秒から１秒程度、ＤＣ２４Ｖが通電（ブレーキ復帰信号）されて、ブレーキレバー解放体が移動して、開閉機５のブレーキが復帰する。障害物が除去されると、制御装置１２は、障害物が除去されたことを、座板スイッチ２ｂを介して検知する。障害物が除去されたことを検知した後、所定時間、例えば、１０秒から２０秒後に、制御装置１２から自動閉鎖装置８に起動信号（ＤＣ２４）が通電される。モータ８０への通電によって、上述のように、開閉機５のブレーキが解放され、シャッターカーテンは自重降下を再開する。
【００２２】
手動操作部１１は、図３に示すように、縦長方形状の前面部１５と、前面部１５内に設けたパネル１５ａとを有する。前面部１５の下方部位に、「非常」と表記されたプラスチックカバー１６が設けてあり、その上方位置に開閉自在なキー付開閉扉１７が設けてある。プラスチックカバー１６の内部側には非常作動スイッチが配設されている。非常作動スイッチは、火災信号入力による制御作動に先立ってシャッターカーテン２を直ちに自重降下させたいような場合に用いられる。パネル１５ａは開閉扉１７で隠蔽されるようになっており、パネル１５ａには、上昇スイッチ１８、降下スイッチ１９および停止スイッチ２０が配設されていると共に、これらのスイッチの側方には、防災盤１０からの火災信号入力を受けて自動閉鎖モード（自重降下モード）に切り替わった電動シャッター１の制御装置１２を、通常の操作モードに復旧させるための復旧スイッチ２１と、発光部としての発光ＬＥＤ２２が配設されている。発光ＬＥＤ２２にバッテリ電源１４の電圧状態を表示させる。キー付開閉扉１７には、発光ＬＥＤ２２に対応する位置に、透明窓１７ａが形成されており、透明窓１７ａを通して、発光ＬＥＤ２２の発光状態を当該キー付開閉扉１７の閉鎖時においても確認できるようになっている。このようにして、手動操作部１１に、バッテリチェッカーとしての機能を持たせてある。
【００２３】
［Ｂ］開口部閉鎖時のシャッター制御
［Ｂ−１］通常時の電動降下（図４（Ａ）、図５）
通常時には、シャッターカーテン２を降下させる信号を入力すると（例えば、降下スイッチ１９の押操作、あるいは、リモコン操作で降下指令を出す）、制御装置１２から開閉機５へ信号が送られ、巻取シャフトがシャッターカーテン２を繰り出す方向に回転して、シャッターカーテン２が電動降下する。
【００２４】
シャッターカーテン２が電動降下して行き、シャッターカーテン２の下端の座板２ａが床面に接近したことを検知する下限リミットスイッチの入力があると、下限リミット信号がリミットスイッチ６から制御装置１２に入力され、タイマＴが動作開始する。タイマＴの動作中に、座板２ａが床面に当接して、座板スイッチ２ｂが動作することで、シャッターカーテン２の電動降下が停止する。その後タイマＴがタイムアップする。タイマＴの動作中に座板スイッチ２ｂが動作しない場合は、下限異常と判断し、タイマＴがタイムアップした時点でシャッターカーテン２を停止させる。
【００２５】
シャッターカーテン２の電動降下途中で、座板２ａが障害物に接触して座板スイッチ２ｂが入力されると、シャッターカーテン２の電動降下が停止すると共に、所定時間上昇信号が送信され、シャッターカーテン２が上昇して（タッチアップ）停止し、停止状態が維持される。あるいは、シャッターカーテン２が停止してから所定時間経過後、シャッターカーテン２を再降下させてもよい。尚、座板スイッチ２ｂが入力された時に、単にシャッターカーテン２の電動降下を所定時間停止させ（タッチストップ）、座板スイッチ２ｂが復帰してから所定時間経過後、シャッターカーテン２を再降下させてもよい。
【００２６】
［Ｂ−２］火災時等の自重降下（図４（Ｂ）、図６）
防災盤１０からの火災信号を制御装置（危害防止用連動中継器）１２が受信すると、制御装置１２が自動閉鎖モード（自重降下モード）となって、自動閉鎖装置８がブレーキ解放姿勢となって、開閉機５のブレーキを解放する。ブレーキが解放されることで、シャッターカーテン２が自重降下を開始する。手動閉鎖装置によって自動閉鎖装置８をブレーキ解放姿勢とした場合にも同様に、開閉機５のブレーキが解除されてシャッターカーテン２が自重降下を開始する。
【００２７】
シャッターカーテン２が自重降下して行き、シャッターカーテン２の下端の座板２ａが床面に接近したことを検知する下限リミットスイッチの入力があると、下限リミット信号がリミットスイッチ６から制御装置１２に入力され、タイマＴが動作開始する。タイマＴの動作中に、座板スイッチ２ｂが動作しても、シャッターカーテン２の自重降下は停止せず、そのまま自重降下が継続され、タイマＴがタイムアップした時点でシャッターカーテン２を停止させる（図６（Ａ））。すなわち、シャッターカーテン２は、座板スイッチ２ｂが作動する位置（座板２ａが床面に接触した位置）からさらに、所定量繰り出される。したがって、シャッターカーテン２が床面に対して押し込まれることで、シャッターカーテン２の下端の座板２ａが床面に押し付けられ、座板２ａと床面との間に隙間が生じることがないようになっている。
【００２８】
シャッターカーテン２の自重降下中に、下限リミット位置よりも上方で、座板スイッチ２ｂが入力されると、シャッターカーテン２の自重降下が停止すると共に、所定時間上昇信号が送信され、シャッターカーテン２が上昇して（タッチアップ）停止する。シャッターカーテン２が停止してから所定時間経過後、シャッターカーテン２が再降下する。あるいは、座板スイッチ２ｂが入力されると、シャッターカーテン２の自重降下が停止し（タッチストップ）、座板スイッチ２ｂ復帰後にシャッターカーテン２が再降下するようにしてもよい。その後は、上記制御が行われる（図６（Ｂ））。尚、手動閉鎖装置によりシャッターカーテン２を自重降下させた場合も同様の制御が行われるが、停電時動作中に座板スイッチ２ｂが動作した場合には、タッチアップは行われず、シャッターカーテン２は一旦停止した後、再降下する。
【００２９】
［Ｂ−３］開口部全閉状態で火災信号の入力があった場合（図４（Ｃ）、図７、図８）
シャッターカーテン２が全閉状態にある時に、火災信号が制御装置１２に送られると、自動閉鎖装置８に解放信号が送られ、所定時間（例えば、１．５秒）シャッターカーテン２が自重降下する。自動閉鎖装置８がブレーキ解放姿勢となるこの所定時間は、タイマによって設定されている。
【００３０】
開口部全閉状態からの自重降下（押し込み）制御について説明する。下限リミットスイッチがＯＮで、かつ、座板スイッチがＯＮの状態で、自重降下モード（火災信号ＯＮ）になると、自動閉鎖装置８がブレーキ解放姿勢となり、シャッターカーテン２が自重降下する。１．５秒後に、自動閉鎖装置８がブレーキ復帰姿勢に復帰してシャッターカーテン２の自重降下が停止する。それ以降は、下限リミットスイッチがＯＦＦ、あるいは、座板スイッチがＯＦＦになるまで自重降下モードになっても、前記の動作は繰り返さず、その位置のままとなる。
【００３１】
図８に、シャッターカーテン２を押し込む前と押し込んだ後のスラットの態様を示す。図８（Ａ）は押し込まれる前の開口部全閉状態を示し、図８（Ｂ）は図８（Ａ）の状態からスラット２Ａが下方に押し込まれた状態を示す。図８（Ａ）ではスラット２Ａが略鉛直状に延出しているのに対して、図８（Ｂ）では、シャッターカーテン２が押し込まれた結果、座板２ａを介して床面に押し付ける力がスラット２Ａに作用し、当該力の反作用として、下方側に位置する数枚のスラット２Ａが連結部を介して屈曲して傾斜状となっている。図８（Ａ）の状態で、座板２ａと床面との間に隙間Ｓがある場合には、シャッターカーテン２の押し込みによって、座板２ａが床面に押し付けられることで、当該隙間が無くなる。座板スイッチ２ｂは、図８（Ａ）に示すような電動降下するシャッターカーテン２の下端の座板２ａが床面に接触した状態で、かつ、シャッターカーテン２が床面に対して押し込まれる前にＯＮとなって、シャッターカーテン２の電動降下が停止する。通常の開口部全閉状態では、シャッターカーテン２は図８（Ａ）に示すような姿勢であり、シャッターカーテン２は、開口部全閉状態からさらに自重降下することが可能である。尚、通常のシャッターカーテン２の電動降下時に図８（Ｂ）のようにシャッターカーテン２を押し込んで停止させない理由は、（ア）通常の閉鎖時に都度シャッターカーテン２を押し込むとガイドレール３に負荷がかかりガイドレール３が変形してしまうおそれがあること、（イ）シャッターカーテン２の押し込みにより音が発生すること、が挙げられる。
【００３２】
図１は、開口部全閉状態を示すシャッター装置の正面図であり、床面に接触した座板スイッチ２ｂが作動して電動降下するシャッターカーテン２が停止した状態であって、シャッターカーテン２を構成するスラット２Ａは図８（Ａ）の状態となっている。図１の例では、床面が正面視右側に向かって下方に傾斜しており、シャッターカーテン２の下端の座板２ａの正面視左側が先に床面に接触して座板スイッチ２ｂが作動し、開口部全閉状態において、床面と座板２ａとの間に隙間Ｓが生じている。図１の開口部全閉状態において、火災信号が入力されると自動閉鎖装置８が所定時間だけブレーキ解放姿勢となって、開口部全閉状態にあるシャッターカーテン２を、全閉状態からさらに所定量だけ自重降下させることで、シャッターカーテン２が下方に押し込まれた位置で停止することになり、シャッター装置が設置される開口部の床面が傾いていても、床面と座板２ａとの間に隙間が生じないようにすることができる。
【００３３】
上述のように、本発明は、火災時において、下限リミットスイッチ及び座板スイッチの両方がＯＮの場合に、シャッターカーテンをさらにオーバーランさせるように自重降下することを特徴としており、シャッターカーテン下端の座板を床面に押し付けることで、防火性能上不利な隙間が座板と床面との間に生じることを防止するものである。
【産業上の利用可能性】
【００３４】
本発明は、防火・防煙シャッターに利用することができる。
【図面の簡単な説明】
【００３５】
【図１】電動シャッター装置の正面図である。
【図２】電動シャッターの斜視図である。
【図３】制御装置の接続状態を示すブロック図である。
【図４】シャッターカーテンの降下制御を示す図である。
【図５】通常時の電動降下を示すフロー図である。
【図６】自重降下を示すフロー図であり、（Ｂ）は、シャッターカーテン自重降下途中で座板スイッチが動作した場合を含むフロー図である。
【図７】開口部全閉状態での押し込み操作を示すフロー図である。
【図８】シャッターカーテンを押し込む前と押し込んだ後のスラットの態様を示し、（Ａ）は押し込まれる前の状態を示し、（Ｂ）は押し込まれた後の状態を示す。
【符号の説明】
【００３６】
２  シャッターカーテン
２ａ  座板
２ｂ  座板スイッチ
８  自動閉鎖装置
１２  制御装置
【図１】
2008031714.tif 000003
【図２】
2008031714.tif 000004
【図３】
2008031714.tif 000005
【図４】
2008031714.tif 000006
【図５】
2008031714.tif 000007
【図６】
2008031714.tif 000008
【図７】
2008031714.tif 000009
【図８】
2008031714.tif 000010